(57)【要約】  道路を組み立てるためのシステムは、複数のプラスチック支持構造及び複数の道路デッキ要素を含む。各支持構造はベースプレートと、道路デッキ要素のうちの少なくとも１つを少なくとも部分的に支持するためにベースプレートから上方に延びるか又は延びるための少なくとも１つの柱とを含む。道路デッキ要素のそれぞれは、前記システムが組み立てられて道路として使用可能な状態にある場合に、雨水が主に道路上を流れて道路の隣の１つ以上の位置に及び／又は道路を横切る道路のスリットサイズの中断部に流れ出るように構成されている。
2021533300.tif 000002
【特許請求の範囲】
【請求項１】
道路を組み立てるためのシステムであって、当該システムは複数のプラスチック支持構造及び複数の道路デッキ要素を含み、該支持構造のそれぞれはベースプレートと、前記道路デッキ要素のうちの１つを少なくとも部分的に支持するために、該ベースプレートから上方に延びるか又は延びるための少なくとも１つの柱とを含み、前記道路デッキ要素のそれぞれは、当該システムが組み立てられて道路として使用可能な状態にある場合に、雨水が主に前記道路上を流れて前記道路の隣接する１つ以上の位置に及び／又は前記道路を横切る前記道路のスリットサイズの中断部に流れ出るように構成されている、システム。
【請求項２】
前記支持構造及び／又は前記道路デッキ要素は、組み立てられた状態にある場合に、前記道路デッキと前記ベースプレートとの間に少なくとも１つのトンネルが形成されるように接続可能であり、前記システムが組み立てられた状態にある場合、道路が形成されて、前記少なくとも１つのトンネルは該道路の長さ寸法に延びる、請求項１に記載のシステム。
【請求項３】
前記支持構造のうちの少なくともいくつかは、前記少なくとも１つの柱と平行な方向に延在する上方に延びる壁部材を前記ベースプレートの外周全体に沿って有さない、請求項１又は２に記載のシステム。
【請求項４】
少なくとも１つの、好ましくは各支持構造について、前記少なくとも１つの柱が前記ベースプレートとシームレスに接続されるか又は前記ベースプレートに接続可能な第１の端部を有することが適用されるか又は少なくとも１つの、好ましくは各支持構造について、前記少なくとも１つの柱は、前記システムが組み立てられた状態で１つ以上の隣接して配置される道路デッキ要素を保持するために、キャリアプレートにシームレスに接続されるか又はキャリアプレートに接続可能な第２の端部を有することが適用される、請求項１乃至３のいずれか一項に記載のシステム。
【請求項５】
前記システムは、少なくとも２つの柱とシームレスに接続されるか又は少なくとも２つの柱に接続可能なキャリアプレートを含む、請求項４に記載のシステム。
【請求項６】
前記複数の支持構造のうちの少なくとも１つは、水減衰構造又は水浸透構造として少なくとも部分的に使用可能である、請求項１乃至５のいずれか一項に記載のシステム。
【請求項７】
前記柱の少なくとも１つ、好ましくはそれぞれは、前記道路デッキのそれぞれが少なくとも１つの柱によって支持されるように、前記道路デッキのうちの１つの少なくとも一部に接続するためのコネクタ部を備える、請求項１乃至６のいずれか一項に記載のシステム。
【請求項８】
前記道路デッキ要素のそれぞれは、道路面として使用可能な外層を備える、請求項１乃至７のいずれか一項に記載のシステム。
【請求項９】
前記道路デッキ要素のそれぞれは、前記外層の反対側である接続側を備え、前記コネクタ部のうちの１つに着脱可能に接続できる接続構造を備える、少なくとも請求項７及び請求項８に従属する限りにおいて請求項１乃至８のいずれかに一項に記載のシステム。
【請求項１０】
前記システムは複数の側溝要素を含む、請求項１乃至９のいずれか一項に記載のシステム。
【請求項１１】
前記側溝要素のうちの少なくとも１つは、前記道路デッキ要素のうちの少なくとも１つ及び／又は前記支持構造のうちの少なくとも１つに別々に接続可能である、請求項１０に記載のシステム。
【請求項１２】
前記側溝要素のうちの少なくとも１つは、前記支持構造のうちの少なくとも１つ及び／又は前記道路デッキ要素のうちの少なくとも１つと少なくとも部分的に一体化されている、請求項１０に記載のシステム。
【請求項１３】
前記側溝要素のうちの少なくとも１つは前記柱のうちの少なくとも１つに少なくとも部分的に一体化されているか又は接続可能である、請求項１０乃至１２のいずれか一項に記載のシステム。
【請求項１４】
前記複数の道路デッキ要素のうちの少なくとも１つはプラスチックを含む、請求項１乃至１３のいずれか一項に記載のシステム。
【請求項１５】
前記複数の道路デッキ要素のうちの少なくとも１つは繊維を含む、請求項１乃至１４のいずれか一項に記載のシステム。
【請求項１６】
前記複数の道路デッキ要素のうちの少なくとも１つは、組み立てられて道路として使用可能な状態にある場合に前記道路デッキ要素の上階デッキを形成するプレート状部を有する構造を含み、該構造は下階デッキであるセル構造部を有する、請求項１乃至１５のいずれか一項に記載のシステム。
【請求項１７】
前記プレート状部は最上階デッキを形成する、請求項１６に記載のシステム。
【請求項１８】
前記プレート状部は、摩擦強化面を提供するために及び／又は耐摩耗面を提供するために非プラスチック材料、好ましくはセラミック材料を含む、請求項１７に記載のシステム。
【請求項１９】
前記構造は、上階デッキを形成する前記プレート状部と、該上階デッキを形成する前記プレート状部と反対の前記セル構造部の側に設けられる別のプレート状部との間に前記セル構造部を有するサンドイッチ構造を含む、請求項１６乃至１８のいずれか一項に記載のシステム。
【請求項２０】
前記セル構造部は、各ハニカムが前記道路デッキ要素のそれぞれの上階デッキを形成する前記プレート状部の方の向く軸を有するようなハニカム構造を含む、請求項１６乃至１９のいずれか一項に記載のシステム。
【請求項２１】
前記道路デッキ要素のうちの少なくとも１つは、１つ以上の隣接して配置される支持構造の上に直接配置される単一の要素として構成される、請求項１乃至２０のいずれか一項に記載のシステム。
【請求項２２】
前記プラスチックは再生プラスチックを含む、請求項１乃至２１のいずれか一項に記載のシステム。
【請求項２３】
前記システムは、複数のプラスチック支持構造及び複数の道路デッキ要素のみで構成されるか又は複数のプラスチック支持構造、複数の道路デッキ要素及び複数の側溝要素のみで構成される、請求項１乃至２２のいずれか一項に記載のシステム。
【請求項２４】
道路を組み立てる方法であって、当該方法は、
複数のプラスチック支持構造及び複数の道路デッキ要素を提供するステップであって、該支持構造のそれぞれはベースプレート及び少なくとも１つの柱を含む、ステップと、
少なくとも１つの道路デッキ要素及び少なくとも１つのプラスチック支持構造を有す道路モジュールが形成されるように、前記道路デッキ要素のうちの少なくとも１つを前記プラスチック支持構造のうちの少なくとも１つに接続するステップと、
隣接して配置されるプラスチック支持構造及び／又は隣接して配置される道路デッキ要素を接続するステップと、
を含む、方法。
【請求項２５】
前記方法は、
前記支持構造が、重力の方向に対して、比較的低い位置に前記ベースプレートを有し、前記少なくとも１つの柱のそれぞれがベースプレートから上方に延びるように、前記支持構造を互いに隣接して配置するステップと、
前記道路デッキ要素が前記隣接して配置された支持構造によって支持され、隣接して配置される道路デッキ要素により道路デッキが形成され且つ前記柱によって支持されるように、前記複数の道路デッキ要素を互いに隣接して配置するステップと、
を含む、請求項２４に記載の方法。
【請求項２６】
前記複数の道路デッキ要素を互いに隣接して配置するステップは、前記道路デッキ要素が前記柱によって直接支持されるように、前記隣接して配置された支持構造の上に前記道路デッキ要素を配置し、前記複数の道路デッキ要素を単一の層として互いに隣接して配置することを含む、請求項２５に記載の方法。
【請求項２７】
隣接して配置された道路モジュールを接続するステップを含む、請求項２４に記載の方法。
【請求項２８】
各道路モジュールは少なくとも１つの支持構造及び少なくとも１つの道路デッキ要素を含む、請求項２５又は２７に記載の方法。
【請求項２９】
前記方法は、道路モジュールを互いに接続するステップを含む、請求項２８に記載の方法。
【請求項３０】
前記方法は、道路の少なくとも一部を形成するために道路モジュールを並べるステップを含む、請求項２９に記載の方法。
【請求項３１】
前記方法は、組み立てられた状態にある場合に、前記道路デッキと前記ベースプレートとの間に少なくとも１つのトンネルが形成されるように、前記支持構造及び／又は前記道路デッキ要素を接続するステップを含み、前記組み立てられた状態にある場合、道路が形成され、前記少なくとも１つのトンネルは、複数の道路モジュールを介して該道路の長さ寸法に少なくとも延びる、請求項２５乃至３０のいずれか一項に記載の方法。
【請求項３２】
前記方法は、前記少なくとも１つの柱と平行な方向に上方に延びる壁部材を前記ベースプレートの外周全体に沿って前記支持構造のそれぞれに適用するステップを含まない、請求項２５乃至３１のいずれか一項に記載の方法。
【請求項３３】
複数のプラスチック支持構造を提供するステップは、各ベースプレートについて、前記ベースプレートにシームレスに接続された前記少なくとも１つの柱を有する複数のプラスチック支持構造を提供することを含む、請求項２５乃至３２のいずれか一項に記載の方法。
【請求項３４】
複数のプラスチック支持構造を提供するステップは、各ベースプレートについて、前記ベースプレートに接続可能な前記少なくとも１つの柱を有する複数のプラスチック支持構造を提供することを含む、請求項２５乃至３３のいずれか一項に記載の方法。
【請求項３５】
少なくとも１つの、好ましくは前記支持構造のそれぞれについて、前記少なくとも１つの柱が前記ベースプレートに接続可能な第１の端部を有する、請求項２５乃至３６のいずれか一項に記載の方法。
【請求項３６】
前記少なくとも１つの柱は、前記システムが組み立てられた状態にある場合に１つ以上の隣接して配置される道路デッキ要素を保持するために、キャリアプレートに接続可能であるか又は接続される第２の端部を有する、請求項２５乃至３５のいずれか一項に記載の方法。
【請求項３７】
前記方法は、前記キャリアプレートを少なくとも２つの柱に接続するステップを含む、請求項３６に記載の方法。
【請求項３８】
前記複数のプラスチック支持構造を提供するステップは、水減衰構造又は水浸透構造として少なくとも部分的に使用可能な複数の支持構造を提供することを含む、請求項２４乃至２９のいずれか一項に記載の方法。
【請求項３９】
前記複数のプラスチック支持構造を提供するステップは、各柱が第２の端部を有する複数のプラスチック支持構造を提供することであって、各道路デッキ要素は、複数の前記第２の端部に接続可能なように提供される、ことを含み、前記方法は、少なくとも１つの道路デッキ要素を複数の第２の端部に接続することをさらに含む、請求項２４乃至３０のいずれか一項に記載の方法。
【請求項４０】
前記複数の道路デッキ要素を提供するステップは、道路面として使用可能な外層をそれぞれが備える複数の道路デッキ要素を提供することを含む、請求項２４乃至３９のいずれか一項に記載の方法。
【請求項４１】
前記方法は、複数の側溝要素を提供するステップをさらに含む、請求項２４乃至４０のいずれか一項に記載の方法。
【請求項４２】
前記方法は、前記道路デッキ要素のうちの少なくとも１つ及び／又は前記支持構造のうちの少なくとも１つに前記側溝要素を別々に接続するステップを含む、請求項４１に記載の方法。
【請求項４３】
前記複数の側溝要素を提供するステップは、前記側溝要素のうちの少なくとも１つを前記支持構造のうちの１つ又は前記道路デッキのうちの１つに少なくとも部分的に一体化されるように提供することを含む、請求項４１に記載の方法。
【請求項４４】
前記複数の道路デッキ要素を提供するステップは、複数の道路デッキ要素であって、少なくとも１つが、各道路デッキ要素の上階デッキであるプレート状部と、下階デッキであるセル構造部とを有する構造を含む、複数の道路デッキ要素を提供することを含む、請求項２４乃至４３のいずれか一項に記載の方法。
【請求項４５】
前記プレート状部は最上階デッキを形成する、請求項４４に記載の方法。
【請求項４６】
前記プレート状部は、摩擦強化面を提供するために及び／又は耐摩耗面を提供するためにセラミック材料を含む、請求項４５に記載の方法。
【請求項４７】
前記構造は、上階デッキを形成する前記プレート状部と、該上階デッキを形成する前記プレート状部と反対の前記セル構造部の側に設けられるプレート状部との間に前記セル構造部を有するサンドイッチ構造を含む、請求項４４乃至４６のいずれか一項に記載の方法。
【請求項４８】
前記セル構造部は、各ハニカムが前記道路デッキ要素のそれぞれの上階デッキを形成する前記プレート状部の方を向く軸を有するハニカム構造を含む、請求項４４乃至４７のいずれか一項に記載の方法。
【請求項４９】
台形状を有する道路デッキ要素。
【請求項５０】
断面が台形状の道路デッキ要素。
【請求項５１】
請求項８乃至２１のいずれか一項に記載の道路デッキ要素の特徴をさらに有する、請求項４９又は５０に記載の道路デッキ要素。
【発明の詳細な説明】
【技術分野】
【０００１】
本開示は、好ましくは接続可能な要素及び構造を含み、より好ましくは接続可能な要素及び構造のみを含む、道路を造るためのシステムに関する。本開示は、好ましくは、接続要素及び構造を接続すること、より好ましくは接続要素及び構造を接続することのみを含む、道路を造るための方法に関する。
【背景技術】
【０００２】
道路は、少なくとも１つの連続する層又は層を共に形成する複数の個別の部分を含む少なくとも１つの層を提供することにより造られる傾向がある。連続する層としては、例えばアスファルトの層が考えられる。層を共に形成する複数の個別の部分を含む層としては、それぞれが同じ形態を有し得るとともに、連続的な道路デッキが形成されるように所定のパターンで配置可能な天然の又は人工のセラミックブロックが考えられる。互いに隣接するコンクリートのスラブを有することも可能である。そのような道路デッキは砂の層の上に通常あり、砂の層は顆粒材料の層の上にあり得る。橋梁の一部である道路は、支持構造に固定されることによって所定の位置で保持される複数の金属デッキ要素により形成され得る。
【０００３】
道路デッキの下に支持構造を用いることは橋梁に特有なものではない。
【０００４】
特許文献１には、モジュールにより支持される複数の層を有する構造が開示されている。各層は、密閉された容積（enclosed  volume）を画定する周辺側壁により接合される、離間された平行な上層及び下層を含む。複数の表面層はモジュールの上に直接配置されて、車両交通を支持するための仕上げ面を提供する。モジュールは地面に埋め込まれ、複数の層で覆われる。これは、道路を造る方法をもたらし得る。しかしながら、それは非常に面倒な方法である。
【０００５】
特許文献２にも、道路の下の支持構造として敷設可能なモジュールが記載されており、これも道路を造るための同様に面倒な方法をもたらし得る。
【０００６】
これらの先行技術文献の双方は、支持構造の上に水が直接流入することを予見し、雨水の管理を支持構造の上の道路層の透水性に依存させている。特許文献３にも同じことが言える。特許文献３は、互いに隣り合って配置されたグリッドボックスを開示している。グリッドボックスは少なくとも１つのグリッド体の層を共に支え、グリッド体の層の内では芝生及び／又は植物を生育でき、その上を車両交通が通ることができる。
【先行技術文献】
【特許文献】
【０００７】
【特許文献１】欧州特許第１３１１７２７号明細書
【特許文献２】欧州特許第１４６９１３３号明細書
【特許文献３】国際公開第２０１８／０８３３４６号
【特許文献４】国際公開第２０１６／０４２１４１号
【発明の概要】
【発明が解決しようとする課題】
【０００８】
本開示の目的は、上記欠点の少なくとも１つに対処する道路を造るためのシステムを提供することである。
【課題を解決するための手段】
【０００９】
道路を組み立てるためのシステムが提供される。一実施形態では、システムは、複数のプラスチック支持構造及び複数の道路デッキ要素を含む。支持構造のそれぞれは、ベースプレートと、道路デッキ要素のうちの１つを少なくとも部分的に支持するためにベースプレートから上方に延びるか又は延びるための（extending  or  for  extending  upwardly）少なくとも１つの柱を含む。道路デッキ要素のそれぞれは、システムが組み立てられて、道路として使用可能な状態にある場合に、雨水が主に道路の上を流れて道路に隣の１つ以上の位置に及び／又は道路を横切る道路のスリットサイズの中断部（slit-sized  interruption  of  the  road  across  the  road）に流れ出るように構成されている。システムのこの実施形態は道路を容易に造ることを可能にし、該道路では、道路デッキの透水性にあまり依存することなく水が洗練された方法で流れ出る。そのため、道路上に降る水は、道路デッキの透水性が不十分な道路上で回収されない。その代わりに、水は道路デッキから速やかに流れ出ることで、水の飛散が低減され、水等によるスリップが低減され、道路上の交通の安全性を全体的に高める。
【００１０】
一実施形態では、支持構造及び／又は道路デッキ要素は、組み立てられた状態において道路デッキとベースプレートとの間に少なくとも１つのトンネルが形成されるように接続可能である。システムの組み立てられた状態では、道路が形成され、少なくとも１つのトンネルが道路の長さ寸法に延びる。長さの寸法は道路の方向に延び得る。これにより、例えば、トンネル内を進むことが可能な専用のモバイル装置に取り付けられたカメラを用いて検査する目的でトンネルを用いることができる。これはまた、例えば、下水及び／又はランプポストに電気を供給する必要性に関連するだけでなく、電気駆動自動車を充電するために将来道路に埋め込まれ得る誘導コイルに及び誘導コイルから必要なケーブルを提供するインフラ目的で、トンネルを通してパイプ及び／又はケーブルを敷設できるようにする。本システムを用いて道路を容易に組み立てることができるだけでなく、本システムを用いて道路が敷かれた場合に、道路デッキの下に設置された部品及びネットワークのメンテナンスのために及び／又は道路デッキの下に新たな装置を導入するために容易に開くこともできる。そのような作業を容易に行うことができるため、必要となる計画が比較的少なく、道路上の交通の流れを比較的短時間中断するだけで済む。
【００１１】
一実施形態では、少なくとも複数の支持構造は、少なくとも１つの柱と平行な方向に延在する上方に延びる壁部材をベースプレートの外周全体に沿って有さない。したがって、そのような壁部材を含まない側面は、上述のトンネルを形成するために接続できる。
【００１２】
一実施形態では、少なくとも１つの、好ましくは各支持構造に関して、ベースプレートとシームレスに接続されるか又はベースプレートと接続可能な第１の端部を少なくとも１つの柱が有することが適用される。これにより、非常に迅速な組み立て方法が可能となり、非常に安定した支持構造が得られる。例えば、「ＱＢｉｃ  ｐｌｕｓ」又は「ＱＢｉｃ＋」という商品名で本出願人により商業的に提供されている水浸透要素（water  filtration  element）が用いられ得る。これらの浸透要素は特許文献４に記載されている。これらの要素は、ベースプレートを即座に利用可能にでき且つ道路デッキ要素のうちの少なくとも１つを支持するために柱の端部を利用可能にできるように上下逆さまにされ得る。当然ながら、組み立てられていない状態では、柱はベースプレーに接続されていないが、ベースプレートに接続可能である。
【００１３】
一実施形態では、少なくとも１つの、好ましくは各支持構造に関して、システムが組み立てられた状態にある場合に、隣接して配置される１つ以上の道路デッキ要素を保持するためにキャリアプレートとシームレスに接続されるか又はキャリアプレートに接続可能な第２の端部を少なくとも１つの柱が有することが適用される。これにより、特許文献４に記載の浸透ユニットを、浸透ユニットとしての使用が想定されている位置で用いることを可能にする。浸透装置を使用することができる。ここでも、組み立てられていない状態では柱は接続されていないが接続可能であることができる。
【００１４】
一実施形態では、システムは、少なくとも２つの柱とシームレスに接続されるキャリアプレートを含む。特許文献４に記載の浸透ユニットは、記載されているように用いられる場合にそのようなキャリアプレートを有し、キャリアプレートに接続された柱を有する。柱がキャリアプレートに接続可能であることは考えられないことはない。
【００１５】
一実施形態では、システムは、少なくとも２つの柱に接続可能なキャリアプレートを含む。特許文献４に記載の浸透ユニットは上下逆さまにして用いられた場合、そのようなそれぞれが、相互に異なる支持構造の一部であり得る少なくとも２つの柱にキャリアプレートが接続されるようにできる。キャリアプレートはコネクタプレートとも呼ばれ得る。
【００１６】
一実施形態では、複数の支持構造のうちの少なくとも１つは、水減衰構造（water  attenuation  structure）又は水浸透構造として少なくとも部分的に使用可能である。この構造により素早く道路を有利に設置することができ、該道路では道路デッキ上を雨水が容易に流れ出ることができ、道路デッキの下にさらなる水管理施設を有するため、道路から流れ出た水が道路の隣の地面への負担にならない。この結果、道路の「設置面積（footprint）」をコンパクトに保つことができる。これは、交通インフラのための空間が限られている場合にとりわけ有利である。
【００１７】
一実施形態では、システムは複数の側溝要素（gutter  elements）を含む。これらは、道路上を流れて道路の隣の位置に及び／又は道路を横切る道路のスリットサイズの中断部に流れ出る水を集めることができる。そのような側溝要素は、水減衰構造又は水浸透構造に入るか又は導かれる出口を有することが好ましい。
【００１８】
一実施形態では、側溝要素のうちの少なくとも１つは、道路デッキ要素のうちの少なくとも１つ及び／又は支持構造のうちの少なくとも１つに別々に接続可能である。しかしながら、側溝要素のうちの少なくとも１つは、支持構造のうちの少なくとも１つ及び／又は道路デッキ要素のうちの少なくとも１つと少なくともに部分的に一体化されることも考えられないわけではない。側溝要素のうちの少なくとも１つは柱のうちの少なくとも１つに少なくとも部分的に一体化されているか又は接続可能であることも可能である。
【００１９】
本開示は道路を組み立てる方法にも関する。一実施形態では、本方法は、複数のプラスチック支持構造及び複数の道路デッキ要素を提供するステップを含み、各支持構造は、ベースプレート及び少なくとも１つの柱を含む。方法の本実施形態は、少なくとも１つの道路デッキ要素及び少なくとも１つのプラスチック支持構造を有する道路モジュールが形成されるように、道路デッキ要素のうちの少なくとも１つをプラスチック支持構造のうちの少なくとも１つに接続するステップをさらに含む。本方法のこの実施形態は、隣接して配置されたプラスチック支持構造及び／又は隣接して配置された道路デッキ要素を接続するステップをさらに含む。これは、道路を素早く提供する方法を可能にする。これは、交通インフラを実施し且つ周辺インフラを比較的長期間ブロックすることなく利用可能にする必要がある場合に有利である。さらに、道路の実施はより簡素であり、スキルをあまり必要としない。道路モジュールの等の道路のパーツは別の場所で合体され、道路を建設する必要がある場所に素早く「降ろす（dropped）」ことができる。
【００２０】
一実施形態では、本方法は、支持構造が重力の方向に対して比較的低い位置にベースプレートを有し、少なくとも１つの柱のそれぞれがベースプレートから上方に延びるように支持構造を互いに隣接して配置するステップを含む。本方法のこの実施形態は、道路デッキ要素が隣接して配置される支持構造によって支持され、道路デッキが隣接して配置される道路デッキ要素により形成され且つ柱によって支持されるように、複数の道路デッキ要素を互いに隣接して配置するステップを含む。これにより、道路デッキが配置される前に、例えばケーブル、パイプ等の配置が可能となり、最終的にそのようなケーブル、パイプ等が道路デッキ要素と支持構造との間に配置される。これにより、短時間でのインフラのタイトなタイミング及び完成を可能にし、交通インフラのその部分の全体的な「ダウンタイム」を削減する。さらに、道路モジュールを先ず設置するか又は道路モジュールを造り、モジュールを持ち上げて道路が形成される位置に置くのに場所を必要しない。
【００２１】
そのような方法のさらなる実施形態は、下記の図面を参照しながら、システム及び方法の双方の例示の実施形態のより詳細な説明で提示される。
【図面の簡単な説明】
【００２２】
【図１】図1は、組み立てられて、道路として使用可能な状態にある、本開示に係るシステムの実施形態の斜視図である。
【図２】図２は、本開示に係るシステムの一実施形態のモジュールの斜視図を示す。
【図３】図３は、図２に示すモジュールを道路の方向で示す図である。
【図４】図４は、本開示に係るシステムの一実施形態の支持構造を示す。
【図５】図５は、本開示に係るシステムの一実施形態のコネクタ部の一部を示す。
【図６】図６は、本開示に係るシステムの一実施形態のコネクタ部の一部を示す。
【図７】図７は、本開示に係る一実施形態のコネクタ部の概略的な組み立てを示す。
【図８】図８は、本開示に係るシステムの一実施形態の支持構造を示す。
【図９】図９は、本開示に係るシステムの一実施形態に係る道路モジュールの一部を示す。
【図１０】図１０は、本開示に係るシステムの一実施形態の道路モジュールの一部を示す。
【図１１】図１１は、本開示に係るシステムの一実施形態の道路デッキ要素の一部の斜視図を示す。
【図１２】図１２は、図１１に示す道路デッキ要素の一部の断面図を示す。
【図１３】図１３は、道路を組み立てる方法のステップを行う前の道路モジュールの一部の図及びそのステップを行った後の道路モジュールの図を示す。
【図１４】図１４は、本開示に係るシステムの実施形態の道路モジュールを介して道路方向に見た図を示す。
【図１５】図１５は、本発明に係るシステムの実施形態のコネクタ部の一部の詳細図を示す。
【図１６】図１６は、本開示に係るシステムの実施形態のコネクタ部の一部の斜視図を示す。
【図１７】図１７は、本開示に係るシステムの一実施形態の一部として、柱に接続され且つキャリアプレートを通って延在するコネクタ部の側面図を示す。
【図１８】図１８は、本開示に係るシステムの一実施形態の柱、コネクタ部、キャリアプレート及び道路デッキ要素の断面図を示す。
【図１９】図１９は、本開示に係るシステムの一実施形態の支持構造から道路デッキ要素をどのように取り外すかについての表示を概略的に示す。
【図２０】図２０は、（ａ）本開示に係るシステムの実施形態の側溝要素の斜視図及び（ｂ）側溝要素をその長手方向に見た図を示す。
【図２１】図２１は、本開示に係るシステムの実施形態の道路モジュールの一部として接続された、図２０に示す側溝要素の斜視図を示す。
【図２２】図２２は、本開示に係るシステムの一実施形態の一部として、どのように水が道路デッキから側溝要素内に流れ、その後道路デッキ要素の下の支持構造内に流れることができるかの表示を概略的に示す。
【図２３】図２３は、本開示に係るシステムの一実施形態の一部としてのサイドパネルを示す。
【図２４】図２４は、本開示の実施形態に係る道路モジュールの一部としてのスペーサを示す。
【図２５】図２５は、本開示の実施形態で接続された道路モジュールにおける、図２４に示すスペーサの使用の詳細図を示す。
【図２６】図２６は、本開示に係るシステムの方法の実施形態及びシステムの実施形態における道路の形成を示す。
【図２７】図２７は、本開示に係る道路を組み立てるための方法の実施形態の組み立てられた及び/又は結果として得られたシステムの実施形態を示す。
【図２８】図２８は、本開示に係るシステム及び／又は方法の実施形態を用いて組み立てられた道路を道路の方向に見た図を示す。
【図２９】図２９は、本開示に係るシステム及び／又は方法の実施形態を用いて組み立てられた道路を道路の方向に見た図を示し、道路デッキ要素は台形の形状を有する。  図面において、同様の参照は同様の部分を表す。
【発明を実施するための形態】
【００２３】
図１は、プラスチック道路１の一部の斜視図を示す。通常は、システムの組み立て後、道路は地面に埋め込まれるため、主に道路デッキが見え且つ交通のために利用可能である。道路デッキは複数の道路デッキ要素２により形成される。システムは複数のプラスチック支持構造６（図４参照）をさらに含む。通常、複数のプラスチック支持構造６は、組み立てられたシステムで用いられる場合に地面に埋め込まれ、見ることができない。各支持構造６は、ベースプレート３と、ベースプレート３から上方に延びるか又は延びるための複数の柱４を含む。各道路デッキ要素２は、システムが組み立てられて、道路として使用可能な状態にある場合に、雨水が主に道路上を流れ、道路の隣の１つ以上の位置に又は道路を横切る道路のスリットサイズの中断部に流れ出るように構成されている。このような構成は、以下に説明するように、表面上の任意の点から表面上を通って道路デッキ要素の端部及び／又はデッキモジュールの端部の方に水を主に導く面を伴う。そのような面は実質的に、該面の端部内の水を排水しなくてよい。該面は、面全体に平方センチメートル当たり一定量の雨を伴う降雨の場合に、５０％を超える水が道路デッキに隣の位置に行き着くようなものであり得る。しかしながら、それに代えて又は加えて、雨水は主に道路上を流れて、道路を横切る道路のスリットサイズの中断部２７に流れ出ることも可能である。「主に道路上を流れて（predominantly  flowing  over  the  road）」とは、「道路内に流れ込むよりもより多くが道路上を流れる」ことを意味すると理解される。さらに最適化された実施形態では、道路デッキを介してであなく、７０％よりも多くが道路上を流れる。高度に最適化された実施形態は、９０％よりも多くの、さらには９５％よりも多くの水が道路を介してではなく道路上を流れるようにできる。
【００２４】
雨水が主に道路上を流れて道路に隣の１つ以上の位置に又は道路を横切るスリットサイズの中断部に流出するかどうかを検証する目的で、水平方向に対して２°の角度を有する道路デッキに対して雨のパターンをシミュレーションする試験を用いることができる。降雨密度が毎秒９０リットル／ヘクタール、降雨時間が１０分、道路デッキが幅３メートル、長さ３メートルであり、道路デッキ面に含まれる角度が水平方向に対して２°の場合、道路から主に道路上を水が流れる道路として適格であるためには、５０％よりも多くを道路の隣で回収する必要がある。もちろん、「主に」が例えば６０％よりも多いことを意味する場合、６０％よりも多くが道路から流れ出るかどうかを測定するために同じテストの設定を用いることができる。
【００２５】
本開示では、ベースプレート及びベースプレートから上方に延びる柱を参照した結果、読者は重力の方向を念頭に置いているものと仮定する。すなわち、ベースプレートは、システムが組み立てられて道路として使用可能な状態にある場合のその使用を参照することによって言及される。ベースプレートは、道路デッキ要素を明らかに下から支持するために柱が上方に延びる基部の機能を有することができる。そのため、ベースプレートは、システムが組み立てられて、道路として使用可能な状態にある場合に（重力の方向に対して）より低い位置にあるのに対して、道路デッキはより高い位置を有する。したがって、組み立てられて、道路として使用可能な状態では、雨水は重力の方向に沿って道路上に落ち、何らかの方法で重力の方向に従ってより低い位置に行く方法を見つける。本開示によれば、雨水は主に道路上を流れて、道路の隣の位置に又は道路を横切る道路のスリットサイズの中断部に流れ出る。
【００２６】
本開示に係るシステムは、組み立てられて、道路として使用可能な状態にある場合、ベースプレート及び道路デッキが水平方向に対して浅い角度下にあるように配置され得る。典型的な角度は１°〜３°であり、好ましくは約２°である。
【００２７】
図１の道路デッキ１は、複数の道路デッキモジュール５を整列させることにより形成される。
【００２８】
図２は、道路デッキモジュール５及び支持構造６の存在をより詳細に示す。道路デッキモジュール５のこの例は１０個の支持構造を含む。図９、図１０、図１３も参照されたい。本開示によれば、各支持構造６はベースプレート３と、道路デッキ要素２のうちの１つを少なくとも部分的に支持するためにベースプレート３から上方に延びる少なくとも１つの柱４とを含む。後述するように、この例では、各支持構造６は、１つの道路デッキ要素２を共に支持する６つの柱４を有する。
【００２９】
支持構造６及び／又は道路デッキ要素２は、組み立てられた状態において、少なくとも１つのトンネル７が道路デッキ要素２とベースプレート３との間に形成されるように接続可能である。システムが組み立てられた状態では、道路１が形成され、少なくとも１つのトンネル７が道路１の長さ寸法に延びる。図３は、道路方向、すなわち、道路デッキ要素２及びベースプレート３の下の道路の方向におけるトンネル７の図を示す。
【００３０】
支持構造６の一例を図４に示す。そのような支持構造６は、柱４と平行な方向に延在する上方に延びる壁部材をベースプレート３の外周全体に沿って有さない。これは、トンネル７の形成を容易にする。
【００３１】
そのような支持構造６を提供する非常に実用的な方法は、雨水管理システムの一部を形成することを通常意図した、所謂Ｑ−Ｂｉｃ＋モジュールの柱を短くすることによるものである。これらのモジュールはＷＡＶＩＮ社から市販されており、特許文献４に詳しく記載されている。本開示でベースプレートと称される部分は、特許文献４に記載されているように、Ｑ−Ｂｉｃ＋モジュールの上位レベルでの使用である。本開示に係るシステムでＱ−Ｂｉｃ＋モジュールを用いるために、Ｑ−Ｂｉｃ＋モジュールを上下逆さまにしてもよい。上述したように、柱４は、現在市販されているＱ−Ｂｉｃ＋モジュールの柱に対して短くされている。そのように短くすることは、柱を厚さ方向に鋸で切ることによって行うことができる。少なくとも１つの、好ましくは各支持構造６について、柱４は第１の端部８でベースプレート３とシームレスに接続されることが適用される。柱がベースプレート３に接続可能な第１の端部８を有することも可能である。さらに、少なくとも１つの、好ましくは各支持構造６について、柱４は、キャリアプレート（図示せず）とシームレスに接続され得る第２の端部９を有する。しかしながら、本開示に示す実施形態では、各柱はキャリアプレートに接続可能な第２の端部９を有する。柱４がキャリアプレートとシームレスに接続される代替案は、ＷＡＶＩＮ社により奨励され、特許文献４に記載される雨水管理システムにおいて意図された向きでＱ−Ｂｉｃ＋モジュールを用いることに対応し得ることに留意する必要がある。したがって、システムは、例えば、（Ｗａｖｉｎ社により奨励されるように、雨水管理システムにおいて意図されるようにＱ−Ｂｉｃ＋モジュールを用いて)６つの柱４とシームレスに接続されるキャリアプレート１０を含むこと又はキャリアプレートが、以下にさらに詳述するように６つの柱４に接続できることが可能である。
【００３２】
柱の少なくとも１つは、それぞれの道路デッキ要素が少なくとも１つの柱４により支持されるように道路デッキ要素２のうちの１つの少なくとも一部に接続するためのコネクタ部１１１を備えることが好ましい。図５、図６及び図７は、柱４の第２の端部９がそのようなコネクタ部１１を有するようにどのように適合され得るかを示す。中央ポケット１４を有する縁部１２は、柱の縁が広がり、柱の第１の端部９の場合によっては粗い切断端（possibly  rough  cutting  edge）が縁部１２により覆われるように柱４の第１の開口端９内に挿入されるように設けられる。縁部１２は、雨水管理のために用いられるＱ−Ｂｉｃ＋モジュールにおいて、中空の柱４内に嵌める（clicked  into）ことができる。縁部１２はその中心１３にクリック要素１５を収容するためのポケット１４を有する。縁部１２及びクリック要素１５は共にコネクタ部１１を形成する。柱４の第２の端部９とコネクタ部１１との間の相互作用の素早い理解を得るために、読者は図１８も参照されたい。もちろん、コネクタ部１１を提供する他の多くの方法が可能である。
【００３３】
図８は、ベースプレート３及び６つの柱４を有する支持構造６を示す。各柱４はコネクタ部１１を備える。支持構造６は１つの柱４のみを有することもできるが、各ベースプレート３から上方に延びる柱が１つ以上あることが理想的であり、６つあることが好ましい。
【００３４】
図９は、２×５の構成で互いに隣接して配置された１０個の支持構造６を含む道路デッキモジュールの一部を示す。支持構造は、重力の方向に対して比較的低い位置にあるベースプレートと、ベースプレートから上方に延びる柱とを有する。隣接して配置された支持構造は互いに接続されている。この目的のために、各ベースプレート３は、例えば特許文献４でさらに記載されているように、例えば一体化されたコネクタ１６を備える。
【００３５】
図１０は、道路デッキモジュール５の実施形態の一部を示す図であり、図９に示すものと同様であるが、追加でキャリアプレート１０を有する。そのようなキャリアプレートは、例に示すプレートが個々の支持構造６の間でさらなる接続を提供することを考えるとコネクタプレート１０とも呼ばれる。そのようなプレート１０はポリプロピレン（ＰＰ）、好ましくはリサイクル材料でできており、場合によってはガラス繊維で補強され得る。
【００３６】
なお、キャリアプレート１０は支持構造を接続する機能を必ずしも有していない。キャリアプレート１０は柱に接続される必要すらない。キャリアプレート１０はただ柱の上に置かれ、柱４を介して道路デッキ２から荷重を伝達するために設けられる。
【００３７】
図１１は道路デッキ要素２の一部を示す。一実施形態では、道路デッキ要素２はプラスチックを含む。複数の道路デッキ要素２のうちの少なくとも１つ、好ましくは複数の道路デッキ要素２のそれぞれが補強材として、ガラス繊維、カーボンファイバ又は有機繊維等の繊維を含むことが好ましい。図１１から分かるように、道路デッキ要素２は、組み立てられて道路として使用可能な状態で各道路デッキ要素２の上階デッキ（upper  deck  level）１７を形成するプレート状部１７を有する構造を含み得る。道路デッキ要素２は、下階デッキ（lower  deck  level）としてセル構造部１８を有し得る。プレート状部１７は最上階デッキ（uppermost  deck  level）を形成し得る。プレート状部１７は、摩擦強化面を提供するために及び／又は耐摩耗面を提供するために非プラスチック材料、好ましくはセラミック材料を含み得る。図１１から分かるように、道路デッキ要素２はセル構造部１８が上階デッキを形成する板状部１７と、上階デッキを形成するプレート状部１７の側とは反対のセル構造部１８の側に設けられるプレート状部１９との間にあるサンドイッチ構造を含み得る。図１１には示していないが、これらのセル構造部１８はハニカム構造を有し、ハニカムは各道路デッキ１０２の上階デッキを形成するプレート状部１７の方に向かう軸を有する。そのようなサンドイッチ構造は、例えばフランスのＮｉｄａｐｌａｓｔ社が販売するＮｉｄａｐａｎ  ８  ＧＲ  ６００という名で知られている。
【００３８】
図１２は、図１１に示す道路デッキ要素の断面図を示す。道路デッキ要素２はクリック要素１５の上部を受容するためのチャンバ２０を有する。チャンバ２０は、所定のスキームに従って道路デッキ要素２が、コネクタ部１１を有する複数の隣接して配置される支持構造に適切に嵌合するような位置で、道路デッキ要素２の下側プレート状部１９に位置するため、柱４の第２の端部９に設けられるクリック要素１５のそれぞれはチャンバ２０内に嵌合する。図１２から分かるように、チャンバ２０は、チャンバ２０内にクリック要素が貫入し且つチャンバ２０からクリック要素１５が外れ難くすることができる保持縁部（retainer  rim）２１を備える。図１８を参照して、柱４の第２の端部９に設けられるクリック要素１５がキャリアプレート１０及び道路デッキ要素１２のチャンバ２０と相互作用する方法のさらなる理解を提供する。
【００３９】
図１３は、道路デッキ要素２を設置及び接続する前の道路デッキモジュール５の一部と、隣接して配置された２つの道路デッキ要素２が設けられた後の道路デッキモジュール５の一部を示す。図１４は道路の方向に見た図を示す。明確にするために、図１４には一体化されたコネクタ１６等のいくつかの要素を示していない。
【００４０】
完全性のために、図１５はクリック要素１５をより詳細に示す。当業者であれば、この要素がどのように作られ、どのように機能するか容易に理解するであろう。また、図１６は、そのようなクリック要素１５のより詳細な図を示し、クリック要素１５をポケット１４の底部の対応部分で固定するために、クリック要素１５の下端にある差し込み型の固定機構（bayonet-type  of  fixation  mechanism）２２を明らかにする。これらの特徴は当業者によく知られている。図１７は、柱４、クリック要素１５及びキャリアプレート１０の間の相互作用を明らかにする断面図である。さらに、図１８は、道路デッキ要素２の一部として、保持リング２１を有するチャンバ２０と、柱４と、クリック要素１５と、縁部１２と、キャリアプレート１０との間の相互作用を明らかにする断面図である。これまでは道路デッキモジュール５を造ることに焦点を当ててきた。道路をさらに造ることに焦点を当てる前に、道路デッキモジュール５を開けることにも注意を払う。
【００４１】
図１９は、道路デッキ要素２を支持構造６から外すために力を加えるべき場所を矢印で概略的に示す。矢印２８は、支持構造６から道路デッキ２を外すために生成される必要がある力を示す。力は機械的に発生される力、水力的に発生される力又は空気的に発生される力であり得る。例えば、道路デッキ内の好適な位置に配置され、道路の側面からアクセス可能な空気注入式パケットを用いることで、道路デッキを柱から外すために空気力を加えることができる。
【００４２】
上述したように、各道路デッキ要素２は、外層１７を有する側とは反対の側にある接続側１９を備え、チャンバ２０等の接続構造を備える。接続構造のそれぞれはコネクタ部１１のうちの１つに着脱可能に接続できる。
【００４３】
そのような道路デッキ要素２の取り外しは、パイプ、ケーブル又は誘導等により車両のバッテリーを充電するための要素等のさらなる他のインフラ要素を道路デッキの下に配置する必要がある場合に必要となり得る。
【００４４】
好ましくは、道路デッキ要素の少なくとも１つが、より好ましくは各道路デッキ要素が単一の要素として１つ以上の隣接して配置される支持構造６の上に直接配置されるように構成されていることが明らかである。しかしながら、説明したように、支持構造６と道路デッキ要素２との間に、所謂キャリアプレート又はコネクタプレート１０が存在し得る構成も可能である。
【００４５】
システムは、図２０に示すように側溝要素２３も含み得る。図２０の上部は斜視図で示す図であり、図の下部は側溝要素を通して且つそのような側溝要素２３の長手方向に沿って見た図である。側溝要素２３は、道路デッキ要素２のうちの少なくとも１つ及び/又は支持構造６のうちの少なくとも１つに別個に接続可能であり得る。側溝要素２３は、支持構造６のうちの少なくとも１つ及び／又は道路デッキ要素２のうちの少なくとも１つに少なくとも部分的に一体化される構成も可能である。そのような一体化された実施形態は、当然ながら支持構造６及び／又は道路デッキ要素２は非対称であることが必要であり、そのため、それらの使用では汎用性が低い。また、側溝要素２３は柱４のうちの少なくとも１つ以上と少なくとも部分的に一体化されているか又は接続されていることも考えられる。側溝要素２３及びそれが接続される構造との可能性のある相互作用についてのより詳細な説明は、参照により本願に組み込まれるオランダ国特許出願第１０４２８０９号及び国際出願ＰＣＴ／ＥＰ２０１９／０５８３８２号を参照されたい。側溝要素は入口３１を有する。使用時に、その入口３１は道路の隣にある。側溝要素２３は出口３２を有する。使用時に、その出口３２はトンネル７内に向けられている。リザーバ２３は、水が出口３２から流れ出る前に水を溜めることができる。
【００４６】
図２１は、２つの側溝要素２３が取り付けられた道路デッキモジュール５の一部がどのようなものかを示す。図２２は、破線及び矢印によって、水が道路デッキ要素２から側溝要素２３に入り、そして最終的に出口２３を介して側溝要素２３内に流れて道路デッキ要素２とベースプレート３との間に行き着くかを模式的に示す。側溝要素は道路に隣に位置するため、水は道路の上を流れるか又は側溝要素２３内に流れ込むことができる。
【００４７】
以下の番号付きの項目は、そのような側溝要素の可能な特徴のさらなる開示を提供する。
１）少なくとも１つの入口と、少なくとも１つの出口と、底部を有するリザーバとを有する側溝要素であって、当該側溝要素は、使用時に、重力の方向に対して当該側溝要素の上部に前記少なくとも１つの入口を有し、当該側溝要素の下部に前記底部を有し、前記底部と前記少なくとも１つの入口との間に前記少なくとも１つの出口を有するように構成されている、側溝要素。
２）前記少なくとも１つの入口は複数の入口開口を含み、前記少なくとも１つの出口は複数の出口開口を含む、１項に記載の側溝要素。
３）前記出口開口のそれぞれは、前記入口開口のうちの最も大きいものより小さい、２項に記載の側溝要素。
４）前記入口開口は、線に似た第１のパターンにおいて互いに空間的に離れている、１、２又は３項に記載の側溝要素。
５）前記入口開口の対は前記線内において、前記入口開口の他の対から規則的な距離の位置にある、４項に記載の側溝要素。
６）前記規則的な距離のそれぞれは、前記入口開口の対の長さに対応する、５項に記載の側溝要素。
７）各入口開口は約１５ｍｍの最大幅を有する、２項乃至６項のいずれか１項に記載の側溝要素。
８）各入口開口は約３５ｍｍの最大長さを有する、２項乃至７項のいずれか1項に記載の側溝要素。
９）各入口開口は、前記線の方向に対応する長さ方向を有する、４項に従属する限りにおいて、２項乃至８項のいずれか１項に記載の側溝要素。
１０）前記出口開口のそれぞれは、前記入口開口のそれぞれの最小寸法よりも小さい最大直径を有する、２項乃至９項のいずれかに記載の側溝要素。
１１）各出口開口の最大直径は１４ｍｍである、１０項に記載の側溝要素。
１２）前記出口開口は、出口開口の群にグループ化され、該群は互いに空間的に離間されている、２項乃至１１項のいずれかに記載の側溝要素。
１３）前記システムは少なくとも１つのブロック状の突起を備え、前記出口開口の群のうちの１つは、前記ブロック状の突起のうちの１つの突起面に設けられている、１２項に記載の側溝要素。
１４）前記少なくとも１つのブロック状の突起は、使用時に浸透システムの２つの柱の間で突出するのに好適である、１２項又は１３項に記載の側溝要素。
１５）前記ブロック状の突起のそれぞれは、前記ブロック状の突起が前記柱の間に配置され且つ前記柱に接続される接続状態を採用するためにサイドコネクタを備える、１３項又は１４項に記載の側溝要素。
１６）前記少なくとも１つの入口開口は、重力の方向に従う水に面する、先行する項のいずれかに記載の側溝要素。
１７）前記少なくとも１つの出口開口は、重力の方向と平行に延びる、先行する項のいずれかに記載の側溝要素。
１８）前記少なくとも１つの出口は、前記少なくとも１つの入口よりも多くの水が流れるようにすることができる、先行する項のいずれかに記載の側溝要素。
１９）前記側溝要素内で、前記底部は洗浄を容易にするために凹状である、先行する項のいずれかに記載の側溝要素。
２０）前記底部が浸透ユニット上に配置されて該浸透ユニットに接続される接続状態を採用するために、前記底部はその外側に底部コネクタを備える、先行する項のいずれか一項に記載の側溝要素。
２１）前記底部コネクタは、浸透ユニットの底部上に前記底部を配置できるようにし、それにより接点を確立し、該接点を前記側溝要素を接続状態で回転させるための枢動点として用いることができるようにする、２０項に記載の側溝要素。
２２）前記側溝要素は横方向に比べて長手方向に大幅に延び、該長手方向及び該横方向はそれぞれ、重力の方向に対して垂直な仮想面内にある、２０項に記載の側溝要素。
２３）前記リザーバが長手方向に延びるように前記側溝要素は同一の側溝要素に接続可能である、先行する項のいずれか一項に記載の側溝要素。
２４）各側溝要素は別の側溝要素に接続するために差し込み部及びスリーブを備える、２０項に記載の側溝要素。
２５）前記側溝要素は、アクセス可能な溝に接続する可能性（possibility）を備え、その溝からその側溝要素にホースが入ることにより、前記側溝要素の内部を清掃することができる、先行する項のいずれか一項に記載の側溝要素。
【００４８】
完全性のために、図２３は、（特許文献４にも記載されている）雨水管理の一部としてＱ−Ｂｉｃ＋モジュールのためにも用いることができ、道路デッキモジュール５の側面に等しく接続可能な、場合によっては部分的に開いた（possible  partially  open）サイドパネル２９を示す。図23の（ａ）のサイドパネル２９は、雨水管理の一部としてＱ−Ｂｉｃ＋モジュールと共に用いるために設けられた場合を示す。図２３の（ｂ）では、パネルは上下逆さまにされ且つ短くされている。図２３の（ｃ）では、パネルは支持構造６に取り付けられたものとして示される。パネルは良好な支持フレームを提供し、ジオテキスタイル材料を該支持フレームに対して配置して、トンネル７に砂が入るのを阻止する一方で、水はそのテキスタイル材料及びパネルを自由に通過できる。また、システムが組み立てられた状態で道路デッキ要素２の間に形成されるか又は配置されるとともに、水の流れがそれを通ることができるようにする他の構造は、道路を横切る道路のスリットサイズの中断部の形態であってもよい。
【００４９】
道路デッキモジュール５は、隣接する道路デッキモジュール５を外すことなく、隣接する道路デッキモジュール５間で制限された形である程度動かすことができることが可能な方法で互いに接続される必要がある。この目的のために、参照により本願に組み込まれるオランダ国特許出願第１０４２７７７号及び国際出願ＰＣＴ／ＥＰ２０１９／０５５３７５号にさらに記載されている、図２４に示すスペーサ構造２５が用いれ得る。図２５は、図２６に示すさらに伸長された道路を形成するために双方の道路デッキ要素５が互いに接続されている点におけるさらなる詳細図を示す。図２７は上面図を示す。スペーサ構造は、道路を横切る道路のスリットサイズの中断部の形態として見ることができる。
【００５０】
以下の番号付きの項目は、そのようなスペーサ構造の可能な特徴のさらなる開示を提供する。
１）建設要素（construction  element）に固定して、別の建設要素との相対距離を維持し且つ別の建設要素と相対的な位置を中心とする動きを該維持された距離で制限するためのスペーサ構造であって、当該スペーサ構造は、
ａ）別の近くにある建設要素に対する距離が所定の距離に低減された場合に、該別の建設要素に対する距離を増進するための力を生成するとともに弾性を提供する構造と、
ｂ）前記所定の距離の方向とは異なる少なくとも１つの方向での前記構造の動きの制限する構造と、
を有する、スペーサ構造。
２）前記構造は弾性要素を含む、１項に記載のスペーサ構造。
３）前記構造は前記動きを制限するための制限器を含む、１項及び/又は２項に記載のスペーサ構造。
４）前記制限器及び前記弾性要素は、前記構造の空間的に離間された異なる要素であるか又は前記制限器及び前記弾性要素は互いに直接接続され、前記構造の１つの全く同一の要素でそれぞれ具現化されている、２項及び３項に記載のスペーサ構造。
５）前記制限器は前記弾性要素の上に設けられている、先行する３項又は４項のいずれか１項に記載のスペーサ構造。
６）前記制限器は、別の建設要素の一部に当接する当接面を備え、該当接面は、別の建設要素に当接する間に前記制限器を該別の建設要素に対してしっかり固定するために吸着カップ又は高摩擦面を備える、５項に記載のスペーサ構造。
７）前記構造は、前記構造の空間的に離間された異なる部分である少なくとも１つの弾性要素及び少なくとも１つの制限器を備える、２項及び３項のそれぞれに従属する限りにおいて、先行する項のいずれか一項に記載のスペーサ構造。
８）前記構造は複数の弾性要素及び複数の制限器を備える、７項に記載のスペーサ構造。
９）前記弾性要素及び前記制限器は、前記構造内で前記構造の寸法に沿って互いに交互に配置される、８項に記載のスペーサ構造。
１０）前記構造は、２つの主面及び該２つの主面の間にある縁部を有するスラブ状の建設要素に固定されるか又は固定可能であり、前記構造は、隣接するスラブ状の建設要素の縁部に対する相対距離を維持するとともに、隣接するスラブ状の建設要素の縁部に相対する位置を中心とする前記縁部の動きを維持した距離で低減するために、前記縁部に配置されるか又は配置可能である、先行する項のいずれか一項に記載のスペーサ構造。
１１）前記弾性要素のうちの少なくとも１つは歯止め状（pawl-shaped）であり、好ましくは各弾性要素が歯止め状である、２項乃至１０項のいずれか一項に記載のスペーサ構造。
１２）前記弾性要素は、前記構造の使用時に前記縁部にあるか又は前記主面のうちの１つの近くにある部分に又はその近くに自由端を有する、１０項及び１１項に記載のスペーサ構造。
１３）前記自由端は前記所定の距離の位置にある、２項及び１２項に記載のスペーサ構造。
１４）前記自由端は、前記スラブ状の建設要素を後位にある別のスラブ状の建設要素に隣接して配置するための前記歯止め状要素の後端であり、該後端は、前記自由端から離れ且つ配置の開始時に前記後位にある別のスラブ状の建設要素に既に隣接する前記弾性要素の一部とは反対に、前記配置の終わりの方でのみ前記後位にある別のスラブ状の建設要素に隣接する、１２項に記載のスペーサ構造。
１５）前記制限器は、隣接するスラブ状の建設要素の縁部に固定される構造の歯止め状弾性要素の自由端の動きをブロックするために設計されている、３項乃至１４項のいずれか一項及び１０項に記載のスペーサ構造。
１６）前記ブロック要素は、前記スラブ状の建設要素を、既に後位にある別のスラブ状の建設要素に隣接して配置するための前記構造の後端であり、該後端は、該後端から離れ且つ配置の開始時に前記後位にある別のスラブ状の建設要素と既に隣接する前記弾性要素の一部とは反対に、前記配置の終わりの方でのみ前記別のスラブ状の建設要素に隣接する前記構造の一部である、１５項に記載のスペーサ構造。
１７）前記スペーサ構造は、少なくとも２つのそのようなスペーサを有するアセンブリのスペーサ構造のうちの１つである、先行する項のいずれか一項に記載のスペーサ構造。
１８）各スペーサ構造の構造は複数の弾性素子及び動作を制限するための複数の制限器を備え、それぞれの構造の弾性素子及び制限器は該構造の長手方向で互いに交互に配置される、１７項に記載のスペーサ構造。
１９）各スペーサ構造の構造は、該構造を前記アセンブリの別のスペーサ構造の構造と嵌合状態で位置決めできるようにする、１７項又は１８項に記載のスペーサ構造。
２０）前記嵌合状態において、１つのスペーサ構造の構造の弾性要素は、前記アセンブリの別のスペーサ構造の構造の制限器の反対にあり且つ相互作用する、１９項に記載のスペーサ構造。
２１）前記構造は、ガイドトラックと、ガイドトラックと相互作用するカウンタトラックとを備え、１つのスペーサ構造を別のスペーサの構造と嵌合状態にする際に、前記構造を他の構造に対して先ず斜めにしてから接触させて、嵌合状態に到るために前記カウンタトラックを前記ガイドトラックと相互作用させる、２０項に記載のスペーサ構造。
２２）前記構造が篏合位置にある場合に、前記スペーサ構造のうちの１つの構造が前記スペーサ構造のうちの別の１つの構造と前記嵌合位置で固定される、１９項乃至２１項のいずれか一項に記載のスペーサ構造。
２３）前記構造は、前記嵌合位置にある場合に機械的にリリース可能な状態にある、１９項乃至２２項のいずれか一項に記載のスペーサ構造。
２４）前記構造はプレート状要素を備え、該プレート状要素は前記嵌合状態において前記構造の後端から延びるとともに、前記嵌合状態において前記嵌合構造間の距離により形成される間隙を少なくともある程度カバーする、１９項乃至２３項のいずれか一項に記載のスペーサ構造。
２５）前記プレート状の要素は外面を有し、前記嵌合状態において、前記外面と平行に制限された動きが可能である、１９項乃至２３項のいずれか一項に記載のスペーサ構造。
２６）前記嵌合状態では、前記プレート状の要素の外面は、前記嵌合構造の一部として同一平面内に留まる、２５項に記載のスペーサ構造。
２７）前記構造は前記スラブ状の建設要素に固定されている、１０項に記載のスペーサ構造。
２８）前記スラブ状の建設要素は、コンクリートスラブ、壁パネル、浮遊性のプラスチック要素、浸透ユニット、道路デッキ要素のうちの１つである、先行する項のいずれか一項に記載のスペーサ構造。
【００５１】
図２８は、組み立てられて道路として使用可能なシステム内でパイプ２６等の更なるインフラ要素がどのように位置し得るかを示す。
【００５２】
それに加えて又は代替的に、一実施形態において、道路デッキ要素は最上面を有し、該最上面の上に雨水が落下し、最上面は水平方向に対して浅い角度を含み、重力の方向は当然水平方向に対して垂直であることを最後に指摘する。含まれる角度は１°〜５°の範囲内にあり得る。
【００５３】
支持構造は、柱が重力の方向と平行であることが有利である。その結果、そのような道路デッキ要素は、前記浅い角度により水が道路デッキの上を流れて流れ出ることを依然として可能にしながら、そのような道路デッキ要素が依然として最適に支持される。図２９は、そのような道路デッキ要素を有する道路モジュール５の一部を示す。最上面は、明らかに、雨水が道路デッキ上を流れて道路に隣接する位置に至るようにできる。
【００５４】
道路デッキ要素２の最上面１７及び底面１９により含まれる角度は、原理を説明するために示されているが、実際に使用され得る角度に必ずしも対応しない。
【００５５】
一般に、そのような道路デッキは台形状を有し得る。図２９に示すような断面は台形状を有する。
【００５６】
本開示において、道路は、交通を支援するために設けられる面として定義される。２つの道路を互いに平行に配置し、２つの道路のうちの一方は一つの方向の交通を対象とし、２つの道路のうちの他方は反対方向の交通を対象とすることが可能である。これらの２つの道路と平行に且つこれらの２つの道路の間に１つ以上の側溝要素を配置することも可能である。
【００５７】
以下では、道路を組み立てる方法を説明する。上述の説明の後、本開示は、道路を組み立てる方法の非常に詳細な説明を必要としない当業者のためのものであると考えられるため、以下のセクションは比較的簡潔にする。
【００５８】
本方法は、複数のプラスチック支持構造６及び複数の道路デッキ要素２を提供することを含む。各支持構造６は、ベースプレート３及び少なくとも１つの柱４を含む。本方法は、少なくとも１つの道路デッキ要素２及び少なくとも１つのプラスチック支持構造６を有する道路モジュール５が形成されるように、道路デッキ要素２のうちの少なくとも１つをプラスチック支持構造６のうちの少なくとも１つに接続することをさらに含む。本方法は、隣接して配置されるプラスチック支持構造６及び／又は隣接して配置される道路デッキ要素２を接続することをさらに含む。より詳細には、本方法は、支持構造６が重力の方向に対してベースプレート３を比較的低い位置に有し、少なくとも１つの柱４のそれぞれが、ベースプレート３から上方に延びるように、支持構造６を互いに隣接して配置することを含み得る。本方法は、道路デッキ要素２が隣接して配置される支持構造６によって支持され、道路デッキが隣接して配置される道路デッキ要素２によって形成され且つ柱４によって支持されるように、複数の道路デッキ要素２を互いに隣接して配置することをさらに含み得る。図１３及び図２５〜図２７を参照する。
【００５９】
図面では、所謂キャリアプレート又は接続プレート１０が用いられているが、道路デッキ要素が柱４によって直接支持される構成も可能である。図２５〜図２７に示すように、隣接して配置されたプラスチック支持構造及び／又は隣接して配置された道路デッキ要素２を接続することは、隣接して配置された道路モジュール５を接続することを含み得る。図に示す方法では、各道路モジュール５が１０個の支持構造６及び２個の道路デッキ要素２を含む構成を示す。しかしながら、当業者であれば、原則的に、各組み合わせが可能であることを理解するであろう。各道路モジュール５は少なくとも１つの道路デッキ要素２を含む。
【００６０】
キャリアプレート／接続プレート又はそれらの使用及び機能について上述したコメントは本方法にも等しく当てはまる。
【００６１】
より具体的に、一般に、本方法は道路モジュール５を互いに接続することを含み得るが、隣接して配置された複数の支持構造６が先ず接続され、それにより道路全体の少なくとも主要部分のための設置面積が提供されることは考えられないことではない点を指摘する。その後のステップとして、道路デッキ要素２をキャリアプレート（コネクタプレート１０）を間に有するか又は有さない状態で柱４の上に配置できる。いずれにしても、最終的には、並んで接続された道路モジュール５は道路１の少なくとも一部を形成することになる。
【００６２】
そのため、道路を組み立てる２つの主要な方法のうちの一方は、先ず道路デッキモジュール５を組み立て、その後にこれらを位置合わせし且つ接続することである。道路デッキモジュールは、道路が最終的に必要とされる軌道から比較的遠く離れた組み立て現場で造ることができる。道路デッキモジュールは容易に運搬できる。道路を組み立てる２つの主要な方法のうちの他方は支持構造を別々に配置することを伴う。すなわち、道路が必要とされる軌道でこれらを接続し、設置することである。そして、後のステップで、道路の道路デッキ全体を形成するために道路デッキ要素２を配置できる。これらのステップの間に、支持構造の柱の間にパイプ及び／又はケーブル等が敷設され得る。図面では、道路デッキ要素２が都度１つの支持構造６により支持されている構成を示す。しかしながら、道路デッキ要素２が１つの支持構造により部分的に支持され、別の支持構造により部分的に支持されることも考えられる。
【００６３】
本方法は、組み立てられた状態において、道路デッキ２とベースプレート３との間に少なくとも１つのトンネル７が形成されるように支持構造６と道路デッキ要素２とを接続することを含み得る。組み立てられた状態では、道路１が形成され、少なくとも１つのトンネル７が道路１の少なくとも１つ寸法全体にわたって延びる。より具体的には、本方法は、少なくとも１つの柱４と平行な方向に上方に延在する壁部材をそれぞれのベースプレート３の外周全体に沿って各支持構造に適用するステップを含まない。しかしながら、上述したように、道路の方向にあるトンネル７をブロックすることなく、側溝要素２３及び部分的に開いたサイドパネル２４が特定の側に配置され得る。
【００６４】
提供される複数のプラスチック支持構造６は、ベースプレート３にシームレスに接続された柱４をベースプレート３毎に有する複数のプラスチック支持構造を伴う。しかしながら、柱４がベースプレート３に接続可能な構成も可能である。この目的のために、少なくとも１つの、好ましくは各支持構造６が、ベースプレート３に接続可能な第１の端部８を有する柱を有することが可能である。柱４は、システムが組み立てられた状態で１つ以上の隣接して配置された道路デッキ要素２を保持するためにキャリアプレート１０に接続可能であるか又は接続される第２の端部９を有し得る。本方法は、キャリアプレートを少なくとも２つの柱４に接続するか又は単に配置することを含み得る。
【００６５】
各柱は第２の端部９を有し、各道路デッキ要素２は、複数の第２の端部９に接続可能なように設けられ得る。本方法は、次に、少なくとも１つの道路デッキ要素２を複数の第２の端部に接続することを含み得る。
【００６６】
道路デッキ要素２のそれぞれは、道路面として使用可能な外層を備え得る。道路面は、摩擦強化面を提供するために及び／又は耐摩耗面を提供するためにセラミック材料を含み得る。
【００６７】
道路デッキ要素２は様々な方法で提供され得る。しかしながら、それぞれの道路デッキ要素の上階デッキであるプレート状部と、下階デッキであるセル構造部とを有する構造を含む複数の道路デッキ要素２を提供することが好ましい。プレート状部は最上階デッキを形成してもよい。すなわち、摩擦強化面を提供するために及び／又は耐摩耗性を提供するためにセラミック材料を有し得る。
【００６８】
道路デッキ要素２の構造は、上階デッキを形成するプレート状部と、上階レベルを形成するプレート状部と反対のセル構造部の側に設けられるプレート状部との間にセル構造部を有するサンドイッチ構造を含み得る。セル構造部は、各ハニカムが、各道路デッキ要素の上階デッキを形成するプレート状部の方に直接延びる軸を有するようなハニカム構造体を含み得る。また、システムを組み立てることにより道路が造られた後に道路面に好適な層を設けることも可能である。例えば、道路デッキ２にコーティングが施され得るか又は層がホットメルトされ得る。
【００６９】
プラスチック支持構造６は、水減衰構造又は水浸透構造として少なくとも部分的に使用可能であり得る。
【００７０】
本方法は、複数の側溝要素を提供することをさらに含み得る。本方法は、道路デッキ要素のうちの少なくとも１つ及び／又は支持構造のうちの少なくとも１つに側溝要素を別々に接続することを含み得る。しかしながら、複数の側溝要素が支持構造のうちの１つ又は道路デッキのうちの１つと少なくとも部分的に一体化されるように設けられることは考えられないことではない。
【００７１】
また、側溝要素が設けられる側と反対の道路デッキモジュール５の側をパネルで閉じることも可能である。さらに、道路の長手方向にジオテキスタイルを設けることもさらに可能である。ジオテキスタイルは水に対して透過性を有するが、ジオテキスタイルがない場合に「トンネル」内に行き着き得る砂粒に対する抗性を提供する。このテキスタイルは、水管理のための地下インフラを構築する技術分野でよく知られている。
【００７２】
道路は、水が道路に隣接する位置に又は道路を横切るスリットサイズの道路の中断部に常に流れるように配置され得る。道路は水平であると認識されるものの、水が道路上を流れて道路から流れ出るのを確実にする浅い角度を有すること確実にすることは当業者にとって困難ではない。ベースプレートが水平になっている場合に、雨水が道路に隣接する１つ以上の位置に及び／又は道路を横切るスロットサイズの中断部に行くように、道路上を主に流れて道路から流れ出るようにシステムを構成することももちろん可能である。
【００７３】
そのような実施形態では、柱は例えば異なる長さを有し、道路デッキの近くの柱の端部は、水平方向に対して浅い角度を有し得る。リサイクルプラスチックを使用することが理想的である。
【００７４】
上述のプラスチックの場合、例えばＰＰ、ＰＥ、ＰＶＣ等の通常のプラスチックが存在し得る。理想的にはリサイクルプラスチックが使用される。しかしながら、それに加えて又は代替的に、上述したように台形状の道路デッキ要素を用いることも可能である。
【００７５】
特許文献４を参照したが、支持構造はそのエンクロージャとは大きく異なる可能性があり得る。まず、柱は必ずしも円筒状ではない。例えば、円錐状の柱も好適である。さらに、例えば、断面が小さい２つの円錐台が互いに面して共に柱を形成することも可能である。ベースプレートも、特許文献４に開示されているものとは大きく異なる構造を同様に有し得る。好適な支持構造は、例えば、国際公開第２０１０／０４２１４１号、独国特許出願公開第１０２００９４４４１２号、欧州特許出願公開第３１６５６８７号、欧州特許出願公開第２９８０３２８号及び欧州特許出願公開第２４６３４４９号にも見られる。
【００７６】
道路を横切る道路のスリットサイズの中断部はグリッドを含んでもよく、ジグザグ状であってもよいし又は道路を斜めに横切っていてもよい。
【００７７】
そのような変形例の全ては本開示の枠組内に含まれるものと理解される。
【図１】
2021533300.tif 000003
【図２】
2021533300.tif 000004
【図３】
2021533300.tif 000005
【図４】
2021533300.tif 000006
【図５】
2021533300.tif 000007
【図６】
2021533300.tif 000008
【図７】
2021533300.tif 000009
【図８】
2021533300.tif 000010
【図９】
2021533300.tif 000011
【図１０】
2021533300.tif 000012
【図１１】
2021533300.tif 000013
【図１２】
2021533300.tif 000014
【図１３】
2021533300.tif 000015
【図１４】
2021533300.tif 000016
【図１５】
2021533300.tif 000017
【図１６】
2021533300.tif 000018
【図１７】
2021533300.tif 000019
【図１８】
2021533300.tif 000020
【図１９】
2021533300.tif 000021
【図２０】
2021533300.tif 000022
【図２１】
2021533300.tif 000023
【図２２】
2021533300.tif 000024
【図２３】
2021533300.tif 000025
【図２４】
2021533300.tif 000026
【図２５】
2021533300.tif 000027
【図２６】
2021533300.tif 000028
【図２７】
2021533300.tif 000029
【図２８】
2021533300.tif 000030
【図２９】
2021533300.tif 000031
【国際調査報告】
2021533300.tif 000032
2021533300.tif 000033
2021533300.tif 000034